(57)【要約】【課題】  プール壁面に壁面の養生を目的として貼り付けた養生シートの剥離作業時に、ゴンドラや剥離用機械等を使用することなく、簡単に剥離作業を行なうことができる簡便な剥離方法を提供する。【解決手段】  壁面に縦方向に貼り付けられた縦長長方形の弱粘性の養生シートの頂部を、壁面上部にいる作業員によって壁面から剥離して前方に折返し、この折返し部を環状ロープに巻き込んで養生シートの表面に貼付けて固定し、環状ロープに取付けた長尺ロープを下方に引っ張ることによって養生シートを剥離するようにした。【選択図】      図１
2006105712.tif 000002
【特許請求の範囲】
【請求項１】
壁面に縦方向に貼り付けられた縦長長方形の弱粘性の養生シートの頂部を、壁面上部にいる作業員によって壁面から剥離して前方に折返し、この折返し部を環状ロープに巻き込んで養生シートの表面に貼付けて固定し、環状ロープに取付けた長尺ロープを下方に引っ張ることによって養生シートを剥離することを特徴とする壁面養生シートの剥離方法。
【請求項２】
筒状体と、この筒状体に通した２本の環状ロープと、各環状ロープにそれぞれ取付けた引張り用の長尺ロープとからなる剥離治具を用意し、壁面に縦方向に貼付けられた弱粘性の縦長長方形の養生シートの頂部を壁面上部にいる作業員によって剥離して前方に折返し、この折返し部を前記筒状体に巻き付けて固定し、一方の環状ロープに固定された長尺ロープを壁面の上部で作業員が支持しながら、もう一方の環状ロープに固定された長尺ロープをプールの底部にいる作業員が下方に引っ張ることによって剥離することを特徴とする壁面養生シートの剥離方法。
【請求項３】
壁面に縦方向に貼り付けられた縦長長方形の弱粘性の養生シートの頂部を、壁面上部にいる作業員によって長尺ロープで縛り付け、この長尺ロープの下端を下方に引っ張ることによって養生シートを剥離することを特徴とする壁面養生シートの剥離方法。
【請求項４】
壁面に強粘性の細幅テープを縦方向に貼り、その上に弱粘性の広幅養生シートを、細幅テープの頂部より少し下方に下げて貼り付け、広幅養生シートの剥離時に前記広幅養生シートの頂部より張り出した前記細幅テープの上方張出部を壁面上部にいる作業員により長尺ロープの一端で結び付け、しかるのち長尺テープの下端をプールの底部にいる作業員が下方に引っ張ることにより、細幅テープと広幅シートを同時に剥離することを特徴とする壁面養生シートの剥離方法。
【請求項５】
複数枚の弱粘性の広幅養生シートを側縁部を重ね合わせて貼付け、これら複数枚の養生シートによる養生部の四周を強粘着性テープを貼付けて固定した養生シートにおいて、養生部の片側側縁部にある強粘性テープを壁面上部にいる作業員により剥離させたのち、養生部の上下縁の強粘性テープを徐々に剥離することにより弱粘性の養生シートが自然剥離して落下するようにしたことを特徴とする壁面養生シートの剥離方法。
【請求項６】
超広幅弱粘性の養生シートの四周を強粘性のテープを貼付けて固定した養生シートにおいて、前記超広幅養生シートの両側縁部の強粘性テープを壁面上部にいる作業員により剥離したのち、上下縁の強粘性テープを剥離することにより弱粘性自然剥離するようにしたことを特徴とする超広幅壁面養生シートの剥離方法。
【発明の詳細な説明】
【技術分野】
【０００１】
原子力発電所において核燃料交換等のため、原子炉キャビティ、原子炉ウエル等プールに水張りをするが、この期間中プールの床面及び壁面に対する放射能汚染を防止するため、養生シートを貼り付ける。
【０００２】
そして核燃料の交換作業が終了したならば、このような養生シートを剥離する必要があるが、本発明は剥離作業の剥離方法に関するものである。
【背景技術】
【０００３】
弱粘着性を有するポリシートを、隣接するポリシートの端縁部を互に重ね合わせて布設し、水張り期間中のプールの床面及び壁面の放射能汚染を防ぐ方法は知られている（特許文献１参照。）。
【０００４】
図５に示すように隣接するポリシート３の端縁部を互に重ね合せて、重ね合せ部３’を形成し、ポリシート３の周縁部から汚染水がポリシート内に浸入しないようになっている。
【０００５】
このように原子炉キャビティ等プールの壁面や床面を粘着性を有するポリシートで覆ったのちに水を張り、原子燃料の交換等を行い、交換作業がすんだならば、水抜後、壁面及び床面に張ったポリシートを除去し廃棄するもので、水張り期間中にプールのステンレス面が水と接するのを防止し、水抜き後の清浄水による除染作業を省略できるようになっている。
【０００６】
従来、ウエル、キャビティなどの壁面を養生したテープやシートを剥離する作業は、脚立やはしごを用いて作業していたが、壁面は数メートル以上の高さであり、危険性を伴う高所作業であった。
【特許文献１】特開２０００−１５５１９４号公報
【発明の開示】
【発明が解決しようとする課題】
【０００７】
プール壁面に壁面の養生を目的として貼り付けた養生シートの剥離作業時に、ゴンドラや剥離用機械等を使用することなく、簡単に剥離作業を行なうことができる簡便な剥離方法を提供する。
【課題を解決するための手段】
【０００８】
壁面に縦方向に貼り付けられた縦長長方形の弱粘性の養生シートの頂部を、壁面上部にいる作業員によって壁面から剥離して前方に折返し、この折返し部を環状ロープに巻き込んで養生シートの表面に貼付けて固定し、環状ロープに取付けた長尺ロープを下方に引っ張ることによって養生シートを剥離するようにした。
また、筒状体と、この筒状体に通した２本の環状ロープと、各環状ロープにそれぞれ取付けた引張り用の長尺ロープとからなる剥離治具を用意し、壁面に縦方向に貼付けられた弱粘性の縦長長方形の養生シートの頂部を壁面上部にいる作業員によって剥離して前方に折返し、この折返し部を前記筒状体に巻き付けて固定し、一方の環状ロープに固定された長尺ロープを壁面の上部で作業員が支持しながら、もう一方の環状ロープに固定された長尺ロープをプールの底部にいる作業員が下方に引っ張ることによって剥離するようにした。
さらに、壁面に縦方向に貼り付けられた縦長長方形の弱粘性の養生シートの頂部を、壁面上部にいる作業員によって長尺ロープで縛り付け、この長尺ロープの下端を下方に引っ張ることによって養生シートを剥離するようにした。
さらに、壁面に強粘性の細幅テープを縦方向に貼り、その上に弱粘性の広幅養生シートを、細幅テープの頂部より少し下方に下げて貼り付け、広幅養生シートの剥離時に前記広幅養生シートの頂部より張り出した前記細幅テープの上方張出部を壁面上部にいる作業員により長尺ロープの一端で結び付け、しかるのち長尺テープの下端をプールの底部にいる作業員が下方に引っ張ることにより、細幅テープと広幅シートを同時に剥離するようにした。
さらにまた、複数枚の弱粘性の広幅養生シートを側縁部を重ね合わせて貼付け、これら複数枚の養生シートによる養生部の四周を強粘着性テープを貼付けて固定した養生シートにおいて、養生部の片側側縁部にある強粘性テープを壁面上部にいる作業員により剥離させたのち、養生部の上下縁の強粘性テープを徐々に剥離することにより弱粘性の養生シートが自然剥離して落下するようにした。
そして、超広幅弱粘性の養生シートの四周を強粘性のテープを貼付けて固定した養生シートにおいて、前記超広幅養生シートの両側縁部の強粘性テープを壁面上部にいる作業員により剥離したのち、上下縁の強粘性テープを剥離することにより弱粘性自然剥離するようにした。
【発明の効果】
【０００９】
従来、ゴンドラや脚立を利用して実施していた養生用シートの剥離作業が、壁面上部と下部の２人の作業員によりロープ等の簡単な治具を用いるだけで可能となった。
従って、全面マスクやアノラック等を着装した重装備での高所作業を削減することができるようになり、作業中の被ばく低減が可能となった。
あるいはまた、粘着力の異なるテープとシートを組み合わせて貼り付けておくことで、剥離時には、幅の狭いテープだけをはがすだけで幅の広いシートを同時に剥離可能となり、剥離作業を能率的に行うことが可能となった。
【発明を実施するための最良の形態】
【００１０】
図１は脚立や梯子を用いないで効率的にシートを剥離する方法を示す。図１の例では、ロープが長尺のロープ１とその一端に取付けた環状ロープ２とからなっている。そして壁面ｗに貼った養生シート３を剥すときは、環状ロープ２に養生シート３の上端部を壁面ｗから剥し、これを前方に折返し、この折返し部４を環状ロープ２に巻き付ける。このとき養生テープ３の裏面に弱粘着材がついているので、この粘着材を養生シート３の表面に押圧すれば、固着することができる。固着を確実にしようとすれば、養生シート３の折曲部をピン等の適宜器具で固着してもよい。
【００１１】
かくしてロープ２と養生シート３が一体化されるので、環状ロープ２の下部に取付けた長尺のロープ１を下から作業者が引張れば、養生テープ３は上方から次第に剥離される。
【００１２】
図２は本発明の剥離方法の第２例である。この例は、ロープと筒状体との組合せよりなる治具を使う方法である。
【００１３】
図２で養生シート３と略同じ幅を有する筒状体１１に２組の環状ロープ１２と１２’が通されている（図３参照）。各環状ロープ１２，１２’には、長尺のロープ１３と１３’が取付けられている。
【００１４】
壁面ｗに貼られた養生シート３を剥すときは、養生テープ３の上端を壁面上部にいる作業員が剥し、これを筒状体１１に巻き付けて固定する。そして、壁面上部にいる作業員が上方の長尺ロープ１３’を持って支持し、プール底面側にいる作業員がもう一方の長尺ロープ１３を引張ると養生シート３は捩じれるようなことがなく、スムーズに剥離される。このとき上にいる作業員が長尺ロープ１３’を少しづつ緩めれば、剥離作業は下側のロープによる引張りと呼応してスムーズに剥がされる。
【００１５】
図４を参照して、養生シート３と筒状体１１との関係をさらに詳しく説明する。１４は養生シート３の上部折返し部を筒状体１１にしっかりと固定する手段の１つで、この場合はクリップを側方から挿入することで、養生シート３の上端片を剥がしたのち筒状体１１に固定する方法をとっている（図４（ｂ））。
【００１６】
１５と１５’は環状ロープ１２又は１２’を筒状体１１に通すときに使用する固着具で、容易に着脱できるようなっている（図４（ｃ））。
【００１７】
養生シート３を剥し終えた時には、図４（ｂ）の如く養生シート３の端はまだ筒状体１１に巻きついているが、図４（ｃ）に示す如くクリップ１４を外し、養生シートを筒状体１１から外す。しかるのち、固着具１５，１５’を外して環状ロープ１２，１２’を筒状体１１から外し、剥がされた養生テープ３を廃棄処理する。
【００１８】
図５は図３の器具を使用しての剥離作業の様子を示すもので、プールの側壁ｗに養生シート３が両側部で重ね合わされて（図５の符号３’参照）横に貼られている。
【００１９】
側壁ｗの上部には安全用の手すり１６が設けられている。図３の治具で剥離作業をする際には、手すり１６の内側に上方の作業者が立ち、上方の長尺ロープ１３’を持ち、底壁上の作業者が下側の長尺ロープ１３を持つ。そして養生シート３の上部片４を筒状体１１に巻き付けて固定する作業は上部作業者が行う。ロープ１３’をプール上部の作業者が支えて、プール底部でロープを引っ張る速度に応じて送り出すことで、斜めになってしまったりせずに安定してシートを剥離することができる。またロープ１３’をプール上部の作業者が保持することで、落下防止にもなる。また下部より引っ張ることで、汚染付着シート面を包み込むことが可能となり、ダスト発生を抑制することができる。
【００２０】
かくして、各養生シート３について準備がなされたならば、順次養生シート３を下方に剥し、廃棄処分の作業を行う。
【００２１】
図６は第３の例で、プール壁面ｗに貼り付けた養生シート３にプール上部の作業員がロープ２１を縛り付けてプール下部からロープ２１を引っ張ってシート３を剥離する。
【００２２】
図７の例は、テープとシートを組み合わせた剥離方法を示す。図７では、幅広の粘着力の弱いシート３を貼り付ける前に、シート中央部に幅が狭く粘着力が強いテープ３１をあらかじめ貼り付けておく。養生シート３は細幅のテープ３１の上に貼り付け、テープ３１の上部が養生シート３から少し出ている状態とする。剥離する際には、図７（ｂ）に示すように、養生シート３の上部から出ているテープ３１にだけロープ３２を結びつけて（３２’）プール底部の作業者が下に引っ張る。テープとシートは接着しており、かつテープの方がシートよりも粘着力が強いので、テープを剥離することでシートも同時に剥がれる。
【００２３】
図８には、非常に弱い粘着力で幅の広いシート３の周囲を粘着力が強く幅の狭いテープ４１を貼り付けた状態を示す。図９に示すように、粘着力の強いテープ４１を剥がすと弱い粘着力のシート３はその自重で剥がれ落ちる。テープ４１のみを剥がすことで全てのシート３が自動的に剥離される。
【００２４】
図９は超広幅の養生シート４２を使用した場合で、この場合も、図８の例と同様に四周を強粘性のテープ４３で固定して養生する。
剥離時には、強粘性のテープ４３を剥せば、弱粘性の養生シート４２は容易に剥すことができる。
【図面の簡単な説明】
【００２５】
【図１】ロープを用いた剥離方法の第一例。
【図２】ロープを用いた剥離方法の第二例。
【図３】円筒状の管とロープを用いた剥離治具。
【図４】円筒状の管とロープを用いた剥離治具。
【図５】図３の治具による剥離作業の説明図。
【図６】ロープを用いた剥離方法の第３例。
【図７】弱粘着シートと強粘着テープを組み合わせた養生シートの剥離方法の第四例。
【図８】弱粘着シートと強粘着テープを組み合わせた養生シートの剥離方法の第五例。
【図９】弱粘着シートと強粘着テープを組み合わせた養生シートの剥離方法の第六例。
【符号の説明】
【００２６】
ｗ  プールの壁面
１  長尺ロープ                    ２  環状ロープ
３  養生シート                    ４  折返し部
11  筒状体                        12,12' 環状ロープ
13,13' 長尺ロープ                 14  クリップ穴
15  固着具                        16  手すり
21  長尺ロープ                    31  強粘性のテープ
32  ロープ                        41  強粘性のテープ
42  超広幅の養生シート            43  強粘性のテープ
【図１】
2006105712.tif 000003
【図２】
2006105712.tif 000004
【図３】
2006105712.tif 000005
【図４】
2006105712.tif 000006
【図５】
2006105712.tif 000007
【図６】
2006105712.tif 000008
【図７】
2006105712.tif 000009
【図８】
2006105712.tif 000010
【図９】
2006105712.tif 000011